(57)【要約】【課題】周囲の（両側の）家具の配色等とコーディネートして、複数の場所で用いることができるリバーシブル収納家具を提供する。【解決手段】前面２１と背面２３の双方に把手２６の取り付け部を設け、前面２１と背面２３の色又は模様を異なるようにする。更に、上面２２と底面２４にキャスター２５の取り付け部を設けてもよい。【選択図】図４
0003122578.tif 000002
【実用新案登録請求の範囲】
【請求項１】
前面と背面の双方に把手取り付け部を備え、
前面と背面の色又は模様が異なる
ことを特徴とするリバーシブル収納家具。
【請求項２】
上面と底面にキャスター取り付け部を有することを特徴とする請求項１に記載のリバーシブル収納家具。
【考案の詳細な説明】
【技術分野】
【０００１】
本考案は、家具と家具の間や家具と横の壁面の間等の狭い間隙に挿入するスライド収納家具に関する。
【背景技術】
【０００２】
家具と家具の間や家具と横の壁面の間に別の家具を入れる程の幅の隙間が無い場合、そのスペースを有効に活用するため、図１に示すように、そのような隙間に収納するスライド式（引き出し式）の収納家具１０が考案されている。
【０００３】
図２に示すように、スライド収納家具１０は全体として幅の狭い直方体形状をなし、その前面１１、上面１２、背面１３、底面１４は側板により構成され、両側面は開放されている。底面１４の下部にはキャスター１５が、また、前面１１には把手１６が設けられ、それらにより移動（引き出し）可能となっている。通常、内部には複数段の棚１７が設けられ、また、各棚１７の一方の端には、載置物が落ちないようにするためのストップ１８が設けられている。なお、棚１７の位置を上下に調節可能とするため、ビス穴１９が設けられている場合もある。
図３に示すように、スライド収納家具１０の幅は各種のものが用意されている。
【考案の開示】
【考案が解決しようとする課題】
【０００４】
従来のスライド収納家具は、前面、上面、背面、底面の４側板は全て同じ色となっているか、少なくとも前面と背面は同色となっていた。
【０００５】
スライド収納家具は、移動可能である点に特長があるため、これを、或る場所（家具と家具の隙間）から別の場所（同じく家具と家具の隙間）に持ってきて、そこで使用することも可能である。
【０００６】
しかし、一般的には、或る場所における周囲の（両側の）家具の配色と別の場所における周囲の（両側の）家具の配色とは異なる。そのような場合に、同じスライド収納家具をそのまま持っていったのでは、一方では色がコーディネートしても、他方では周囲にそぐわない色となり、実際上、使用することができないということも起こりえる。
【課題を解決するための手段】
【０００７】
上記課題を解決するために成された本願考案に係るリバーシブル収納家具は、
前面と背面の双方に把手取り付け部を備え、
前面と背面の色又は模様が異なる
ことを特徴とする。
【０００８】
なお、このリバーシブル収納家具において、上面と底面にキャスター取り付け部を設けることができる。
【考案の効果】
【０００９】
本考案に係るリバーシブル収納家具では、前面と背面の色又は模様が異なるため、或る場所から別の場所に本リバーシブル収納家具を移動するときは、把手を前面から背面に付け替え、背面であった面を前面として収納することにより、移動先の周囲の（両側の）家具等とのコーディネートが保たれる。
【００１０】
また、床上で１回転させて単に前後を入れ替えただけであれば、内部に物を出し入れするための側面（すなわち、ストップの位置）は左右が変わってしまうが、キャスターについても上下に付け替えることができるようにしておくことにより、載置物を出し入れする側面の左右位置（ストップの左右位置）を変えないようにすることができる。
【考案を実施するための最良の形態】
【００１１】
本考案の第一の実施例であるリバーシブル収納家具を図４に示す。本実施例のリバーシブル収納家具２０は、基本的構造は従来のものと同様であり、前面２１、上面２２、背面２３、底面２４の４枚の側面板からなる幅の狭い直方体形状をなし、左右両側面は開放されている。内部には複数段の棚２７が設けられ、各棚２７の一方の端にはそれぞれストップ２８が設けられている。底面板２４には４個のキャスター２５が、前面板２１には把手２６がそれぞれ取り付けられ、これらにより本収納家具２０は全体としてスライド（引き出し）可能となっている。
【００１２】
本実施例の収納家具２０は、前記従来のものとは異なり、まず、前面板２１と背面板２３の色又は模様が異なっている。また、背面板２３にも把手２６を取り付けるための取り付け具が設けられており、図４(b)に示すように、把手２６を背面板２３に付け替えることができるようになっている。こうすることにより、周囲の家具の色や模様に合わせ、図４(a)に示すように前面板２１を前面側にしたり、図４(b)に示すように背面板２３を前面側にしたりして、家具と家具の隙間又は家具と横の壁面の隙間に収納することができる。
【００１３】
本考案の第二の実施例であるリバーシブル収納家具を図５に示す。本実施例のリバーシブル収納家具３０も、基本的構造は従来のもの及び上記第一実施例と同様であり、前面３１、上面３２、背面３３、底面３４の４枚の側面板からなる幅の狭い直方体形状をなし、左右両側面は開放されている。内部には複数段の棚３７が設けられ、各棚３７の一方の端にはそれぞれストップ３８が設けられている。底面板３４には４個のキャスター３５が、前面板３１には把手３６がそれぞれ取り付けられ、これらにより本収納家具３０は全体としてスライド（引き出し）可能となっている。
【００１４】
本実施例の収納家具３０は、第一実施例のものと同様、前面板３１と背面板３３の色又は模様が異なっており、背面板３３にも把手３６を取り付けるための取り付け具が設けられ、把手３６を背面板３３に付け替えることができるようになっている。本実施例の収納家具３０では更に、図５(b)及び(c)に示すように、キャスター３５も、底面板３４から上面板３２に付け替えることができるようになっている。このような構造により、第一実施例のものと同様、周囲の家具の色や模様に合わせて、図５(a)に示すように前面板３１を前面側にしたり、図５(b)に示すように背面板３３を前面側にして、家具と家具の隙間又は家具と横の壁面の隙間に収納することができるが、その際、内部への収納物の出し入れを同じ側から行うことができるという利点も有する。
【図面の簡単な説明】
【００１５】
【図１】スライド収納家具の使用方法を示す説明図。
【図２】従来のスライド収納家具の側面図(a)及び正面図(b)。
【図３】各種幅のスライド収納家具を示す正面図。
【図４】本発明の第一実施例であるリバーシブル収納家具の右側面図(a)及び把手を付け替えた状態の左側面図(b)。
【図５】本発明の第二実施例であるリバーシブル収納家具の右側面図(a)、上下反転した状態の右側面図(b)及びキャスターを上面板に付け替えて上下反転した状態の右側面図(c)。
【符号の説明】
【００１６】
１０…スライド収納家具
２０、３０…リバーシブル収納家具
１１、２１、３１…前面板
１２、２２、３２…上面板
１３、２３、３３…背面板
１４、２４、３４…底面板
１５、２５、３５…キャスター
１６、２６、３６…把手
１７、２７、３７…棚
１８、２８、３８…ストップ
【図１】
0003122578.tif 000003
【図２】
0003122578.tif 000004
【図３】
0003122578.tif 000005
【図４】
0003122578.tif 000006
【図５】
0003122578.tif 000007